(57)【要約】【課題】取り込んだ光を目的箇所まで導いて放射する際に、放射する光の強度及び色味を適切に調整できる採光装置を提供すること。【解決手段】光を取り込む採光部１１と、採光部１１から取り込んだ光を導く導光部１２と、導光部１２により導かれた光を目的箇所に放射する放光部１３と、取り込んだ光の少なくとも一部を反射する反射面１０と、を備える採光装置１であって、反射面１０上の全部又は一部に有機ＥＬ照明２０又は無機ＥＬ照明２０が設置されている採光装置１。【選択図】図１Ａ
2016092002.tif 000002
【特許請求の範囲】
【請求項１】
光を取り込む採光部と、前記採光部から取り込んだ光を導く導光部と、前記導光部により導かれた光を目的箇所に放射する放光部と、前記取り込んだ光の少なくとも一部を反射する反射面と、を備える採光装置であって、
前記反射面上の全部又は一部に有機ＥＬ照明又は無機ＥＬ照明が設置されている採光装置。
【請求項２】
前記有機ＥＬ照明又は無機ＥＬ照明は、光透過性の透過層と、光を反射する反射層とを有する片面発光型の有機ＥＬ照明又は無機ＥＬ照明であり、前記透過層を透過して前記反射層にて反射する波長３８０〜１０００ｎｍ帯域の光の全反射率に対する正反射率が６０％以上である請求項１に記載の採光装置。
【請求項３】
前記有機ＥＬ照明又は無機ＥＬ照明は、光透過性の有機ＥＬ照明又は無機ＥＬ照明であり、
前記反射面は、前記有機ＥＬ照明又は無機ＥＬ照明を透過して当該反射面にて反射する波長３８０〜１０００ｎｍ帯域の光の全反射率に対する正反射率が３０％以上である請求項１に記載の採光装置。
【請求項４】
前記有機ＥＬ照明又は無機ＥＬ照明の発光波長帯域は、前記有機ＥＬ照明又は無機ＥＬ照明が設置された位置における前記取り込んだ光の減衰波長帯域を含む請求項１〜３のいずれかに記載の採光装置。
【請求項５】
前記有機ＥＬ照明又は無機ＥＬ照明は、前記放光部の放光口の周囲に設置されている請求項１〜４のいずれかに記載の採光装置。
【請求項６】
前記有機ＥＬ照明又は無機ＥＬ照明は、前記採光部の採光口が向く方位角に対して、角度３０〜１５０°の方位角に直行して対面するように設置される請求項１〜５のいずれかに記載の採光装置。
【請求項７】
前記反射面は、銀又は銀合金からなる光反射皮膜を有し、
前記有機ＥＬ照明又は無機ＥＬ照明は、全波長帯域における発光強度の積分値Ｉａｌｌに対する、４００〜５００ｎｍの波長帯域における発光強度の積分値Ｉ４００〜５００の比（Ｉ４００〜５００／Ｉａｌｌ）が１／３以上である発光スペクトルを有する請求項１〜６のいずれかに記載の採光装置。
【請求項８】
前記反射面は、アルミニウム又はアルミニウム合金からなる光反射皮膜を有し、
前記有機ＥＬ照明又は無機ＥＬ照明は、全波長帯域における発光強度の積分値Ｉａｌｌに対する、６００〜７００ｎｍの波長帯域における発光強度の積分値Ｉ６００〜７００の比（Ｉ６００〜７００／Ｉａｌｌ）が１／３以上である発光スペクトルを有する請求項１〜６のいずれかに記載の採光装置。
【発明の詳細な説明】
【技術分野】
【０００１】
本発明は、光を目的箇所へと導く採光装置に関する。
【背景技術】
【０００２】
省エネルギーの必要性や、二酸化炭素の排出削減による環境保護の必要性から、太陽光を反射率の高いダクトを介して目的箇所に放射し、照明光源として利用する採光装置が提案されている。
【０００３】
このような採光装置では、太陽光をダクト内で反射させながら導光するので、拡散反射により太陽光の強度が減衰し、また、特定の波長帯域の光が吸収されることにより所望の色味（色温度）が得られないことがある。このため、導光される太陽光の強度及び色味を適切に調整する技術が求められている。たとえば、特許文献１には、放射される光の強度や色味を調整するため、ダクトに、ＬＥＤを光源とした照明装置を設置する技術が開示されている。
【先行技術文献】
【特許文献】
【０００４】
【特許文献１】特開２０１３−２４６９８０号公報
【発明の概要】
【発明が解決しようとする課題】
【０００５】
しかしながら、上記特許文献１に開示された従来技術では、放射される光の強度や色味を調整するため光源として、点光源で単波長のＬＥＤを用いているため、ダクトで導光された太陽光と組み合わせた場合、調整された光の強度や色味にムラが生じやすいという問題がある。
【０００６】
本発明の目的は、取り込んだ光を目的箇所まで導いて放射する際に、放射する光の強度及び色味を適切に調整できる採光装置を提供することである。
【課題を解決するための手段】
【０００７】
本発明によれば、光を取り込む採光部と、前記採光部から取り込んだ光を導く導光部と、前記導光部により導かれた光を目的箇所に放射する放光部と、前記取り込んだ光の少なくとも一部を反射する反射面と、を備える採光装置であって、前記反射面上の全部又は一部に有機ＥＬ照明又は無機ＥＬ照明が設置されている採光装置が提供される。
【０００８】
本発明の採光装置において、前記有機ＥＬ照明又は無機ＥＬ照明は、光透過性の透過層と、光を反射する反射層とを有する片面発光型の有機ＥＬ照明又は無機ＥＬ照明であり、前記透過層を透過して前記反射層にて反射する波長３８０〜１０００ｎｍ帯域の光の全反射率に対する正反射率が６０％以上であることが好ましい。
本発明の採光装置において、前記有機ＥＬ照明又は無機ＥＬ照明は、光透過性の有機ＥＬ照明又は無機ＥＬ照明であり、前記反射面は、前記有機ＥＬ照明又は無機ＥＬ照明を透過して当該反射面にて反射する波長３８０〜１０００ｎｍ帯域の光の全反射率に対する正反射率が３０％以上であることが好ましい。
【０００９】
本発明の採光装置において、前記有機ＥＬ照明又は無機ＥＬ照明の発光波長帯域は、前記有機ＥＬ照明又は無機ＥＬ照明が設置された位置における前記取り込んだ光の減衰波長帯域を含むことが好ましい。
本発明の採光装置において、前記有機ＥＬ照明又は無機ＥＬ照明は、前記放光部の放光口の周囲に設置されていることが好ましい。
本発明の採光装置において、前記有機ＥＬ照明又は無機ＥＬ照明は、前記採光部の採光口が向く方位角に対して、角度３０〜１５０°の方位角に直交して対面するように設置されることが好ましい。
【００１０】
本発明の採光装置において、前記反射面は、全反射率に対して正反射率が６０％以上のものが好ましい。
本発明の採光装置において、前記反射面は、銀又は銀合金からなる光反射皮膜を有し、前記有機ＥＬ照明又は無機ＥＬ照明は、全波長帯域における発光強度の積分値Ｉａｌｌに対する、４００〜５００ｎｍの波長帯域における発光強度の積分値Ｉ４００〜５００の比（Ｉ４００〜５００／Ｉａｌｌ）が１／３以上である発光スペクトルを有することが好ましい。
本発明の採光装置において、前記反射面は、アルミニウム又はアルミニウム合金からなる光反射皮膜を有し、前記有機ＥＬ照明又は無機ＥＬ照明は、全波長帯域における発光強度の積分値Ｉａｌｌに対する、６００〜７００ｎｍの波長帯域における発光強度の積分値Ｉ６００〜７００の比（Ｉ６００〜７００／Ｉａｌｌ）が１／３以上である発光スペクトルを有することが好ましい。
なお、本願に記載する透過率及び反射率とは、ＪＩＳ  Ｋ７３７５：２００８に記載の全光線透過率及び全光線反射率の測定方法を用いた値のことをいう。
【発明の効果】
【００１１】
本発明によれば、光路に光を反射する反射層を備える採光装置において、当該反射層上の全部又は一部に有機ＥＬ照明又は無機ＥＬ照明を設置したため、面光源である有機ＥＬ照明又は無機ＥＬ照明によって補光が行われ、放射する光の強度及び色味をムラなく適切に調整可能な採光装置を提供することができる。
【図面の簡単な説明】
【００１２】
【図１Ａ】本発明に係る採光装置の第１実施形態を示す斜視図である。
【図１Ｂ】図１Ａに示す採光装置の側面図及び正面図である。
【図１Ｃ】図１Ａの採光装置の変形例を示す側面図及び正面図である。
【図２】採光装置の光路に設けられた光反射面の構成を示す断面図である。
【図３Ａ】光透過性の有機ＥＬ照明又は無機ＥＬ照明の構成例を示す断面図である。
【図３Ｂ】片面発光型の有機ＥＬ照明又は無機ＥＬ照明の構成例を示す断面図である。
【図３Ｃ】片面発光型の有機ＥＬ照明又は無機ＥＬ照明の他の構成例を示す断面図である。
【図４Ａ】本発明に係る採光装置の第２実施形態を示す斜視図である。
【図４Ｂ】本発明に係る採光装置の第３実施形態を示す斜視図である。
【図４Ｃ】本発明に係る採光装置の第４実施形態を示す斜視図である。
【図４Ｄ】図４Ａに示す採光装置の側面図及び正面図である。
【図５Ａ】本発明に係る採光装置の第５実施形態を示す側面図である。
【図５Ｂ】本発明に係る採光装置の第６実施形態を示す側面図である。
【図５Ｃ】本発明に係る採光装置の第７実施形態を示す側面図である。
【図６】本発明に係る採光装置を建物に組込んだ第８実施形態を示す断面図である。
【図７】参考例で用いた採光装置を示す斜視図である。
【図８】実施例で用いた採光装置を示す斜視図である。
【図９】実施例で用いた有機ＥＬ照明の各波長における発光強度を示すグラフである。
【図１０】実施例、比較例及び参考例において、導光した光の色温度を測定する方法を説明するための図である。
【図１１】比較例で用いた採光装置を示す斜視図である。
【図１２】比較例で用いたＬＥＤ照明の各波長における発光強度を示すグラフである。
【発明を実施するための形態】
【００１３】
以下、本発明に係る採光装置の実施形態を図面に基づいて説明する。図１Ａは、本実施形態に係る採光装置１の全体構成を示す斜視図である。また、図１Ｂは、図１Ａに示す採光装置１をｘ軸の正方向に見た側面図と、ｙ軸の正方向に見た正面図とを示す。なお、図１Ｂ中の一点鎖線は、太陽ＳＮからの太陽光が、採光部１１から取り込まれた際の光路の一例を示す。
【００１４】
図１Ａに示すように、本実施形態に係る採光装置１は、太陽光を取り込む採光部１１と、取り込んだ太陽光を導光する導光部１２と、導光した太陽光を放射する放光部１３と、有機ＥＬ照明２０又は無機ＥＬ照明２０とを備える。図１Ａに示す採光装置１は、導光部１２にて光が漏れないように全体が四角柱状の筒となっており、採光部１１の採光口１１１及び放光部１３の放光口１３１で光が通過できるようになっている。なお、図１Ａでは、採光装置１の全体が四角柱の筒状である例を示したが、図１Ａの採光装置１及び後述する各採光装置は、四角柱以外の多角柱や、円柱などの形状の筒であってもよい。採光装置１において、採光部１１、導光部１２及び放光部１３の内面は、後述する光反射面１０で覆われている。また、放光部１３の内面を覆う光反射面１０上には、２つの有機ＥＬ照明２０又は無機ＥＬ照明２０が設けられている。なお、図１Ａ，図１Ｂでは、有機ＥＬ照明２０又は無機ＥＬ照明２０を２つ設けた例を示したが、有機ＥＬ照明２０又は無機ＥＬ照明２０の設置数は特に限定されず、１つでもよいし、３つ以上でもよい。有機ＥＬ照明２０と無機ＥＬ照明２０とを組み合わせて使用してもよい。また、有機ＥＬ照明２０又は無機ＥＬ照明２０の大きさは、光反射面１０の一部を覆うものであってもよいし、光反射面１０の全面を覆うものであってもよい。
【００１５】
本実施形態に係る採光装置１では、図１Ｂ中の一点鎖線で示すように、採光部１１に設けられた採光口１１１から取り込まれた太陽光が、採光装置１内で反射しながら導光部１２を通って放光部１３に導かれ、放光部１３の放光口１３１から目的箇所へ放射される構成となっている。また、採光装置１では、太陽光を採光装置１内で導光する際に、有機ＥＬ照明２０又は無機ＥＬ照明２０を発光させることで、放光口１３１から放射される太陽光の強度及び色味を調整可能となっている。すなわち、太陽光は、採光装置１の光反射面１０で反射する際にわずかに拡散反射してしまい、これにより、各波長帯域での強度が全体的に減衰する。さらに、太陽光は、採光装置１の光反射面１０に入射した際に、光反射面１０に特定の波長帯域の光が吸収されることで、色味が変化するうえ、強度が減衰する。そのため、本実施形態では、採光装置１において有機ＥＬ照明２０又は無機ＥＬ照明２０を必要に応じて発光させることで、放光口１３１から放射される太陽光の強度及び色味を適切に調整する。
【００１６】
なお、採光口１１１及び放光口１３１は、光が透過できる透明性の高い板、たとえば、透明ガラス板や透明樹脂板で構成することができる。あるいは、放光口１３１は、このような透明性の高い板を設けずに単なる開口としてもよい。また、放光口１３１には、拡散板を設置してもよく、この拡散板を通じて放光口１３１から光を放射させることにより、放射される光をやわらかいものとすることができる。さらに、採光装置１としては、太陽光を効率的に取り込むために、採光口１１１に太陽光を追尾する太陽光追尾装置や、集光レンズなどの集光装置を備えるものであってもよい。
【００１７】
このような構成を有する採光装置１は、たとえば、太陽光を導光して室内又は屋外に放射する照明装置として用いることができる。あるいは、採光装置１は、植物工場内で育てる植物（野菜、観葉植物など）や、水中の植物（海藻など）に太陽光を放射して光合成を促す光照射装置として用いることもできる。
【００１８】
なお、本実施形態の採光装置１では、図１Ｃに示すように、有機ＥＬ照明２０又は無機ＥＬ照明２０を、光反射面１０に対して傾斜させて設置してもよい。図１Ｃに示す採光装置１のように、有機ＥＬ照明２０又は無機ＥＬ照明２０を、放光口１３１に向くように傾斜させることで、有機ＥＬ照明２０又は無機ＥＬ照明２０の発光による光が、より多く放光口１３１から放射されることとなり、より適切に太陽光の強度及び色味を調整できる。この際においては、有機ＥＬ照明２０又は無機ＥＬ照明２０の光反射面１０に対する傾斜角度θＥＬ１，θＥＬ２は、好ましくは１〜３０°である。傾斜角度θＥＬ１，θＥＬ２を上記範囲とすることにより、有機ＥＬ照明２０又は無機ＥＬ照明２０により、採光装置１における導光を妨げることなく、効率よく太陽光の強度及び色味を調整できる。
【００１９】
次いで、本実施形態に係る採光装置１の内面を覆う光反射面１０について説明する。図２に一例を示すように、本実施形態に係る採光装置１を構成する光反射面１０は、基体１０１、樹脂層１０２、光反射層１０３、及び保護層１０４を、この順に積層することにより形成される。なお、図２に示す光反射面１０は、採光装置１内において、光反射層１０３及び保護層１０４が内面側となるように設置される。
【００２０】
基体１０１としては、特に限定されないが、ガラス、プラスチック、金属板などが挙げられる。金属板としては、鋼板、アルミニウム板、アルミニウム合金板などが挙げられ、これらのなかでも機械的強度の向上や製造コストの低減という点から、鋼板が好ましく用いられる。
【００２１】
鋼板としては、クロム含有量が１１質量％未満の鉄合金の板、または、クロム含有量が１１質量％以上の鉄合金、いわゆるステンレスの板が挙げられる。特に、クロム含有量が１１質量％未満の鉄合金鋼板は、アルミニウムやステンレスと比べて安価な材料であり、コスト的に有利である。
【００２２】
アルミニウム合金板は、アルミニウムを主成分とし、強度、加工性、耐食性などを付与するためにマグネシウム（Ｍｇ）、マンガン（Ｍｎ）、シリコン（Ｓｉ）などを添加し、合金化したものである。
【００２３】
また、基体１０１を構成するための金属板としては、表面処理が施された表面処理金属板であってもよい。表面処理金属板としては、上記した金属板の表面に各種めっきを施したもの、またはアルミニウム板の表面にアルマイト処理を施したものなどが挙げられる。
【００２４】
基体１０１を、めっきで表面処理しためっき処理金属板とする場合において、めっきに用いる金属としては、亜鉛、亜鉛合金、錫、ニッケル、クロムなどを用いることができる。
【００２５】
たとえば、基体１０１として、鋼板上に、亜鉛めっきまたは亜鉛合金めっきを形成することにより得られる亜鉛めっき鋼板を例示して説明すると、めっき方法により、たとえば、溶融亜鉛めっき鋼板、溶融亜鉛合金めっき鋼板、電気亜鉛めっき鋼板、電気亜鉛合金めっき鋼板など複数の種類が挙げられる。
【００２６】
また、鋼板上に亜鉛めっきまたは亜鉛合金めっきを形成する際に、めっきに用いる金属としては、亜鉛や亜鉛合金が用いられる。亜鉛合金としては、亜鉛（Ｚｎ）に５〜５５質量％のアルミニウム（Ａｌ）を含有するもの、亜鉛（Ｚｎ）にコバルト（Ｃｏ）、モリブデン（Ｍｏ）を含有するものなどが用いられる。
【００２７】
さらに、亜鉛めっき鋼板としては、亜鉛等のめっきの剥がれや変質を防止するために化成処理を施してもよい。化成処理として、例えば、クロメート処理、リン酸塩処理、リチウム−シリケート処理、シランカップリング処理あるいは、ジルコニウム処理などが挙げられる。
【００２８】
また、基体１０１としては、金属板に限定されず、適度な強度を確保できるものであればよく、上述したように、ガラス、プラスチック又はフィルム材を用いてもよい。基体１０１の材料にプラスチックを用いる場合には、プラスチックとしては、たとえば、ポリエチレンテレフタレート、アクリル、塩化ビニル、ポリカーボネートなどが挙げられる。また、基体１０１としては、紙材を用いてもよい。
【００２９】
基体１０１の厚みは、特に限定されないが、通常、０．２〜３ｍｍであり、好ましくは０．６〜１．２ｍｍである。
【００３０】
樹脂層１０２は、基体１０１自体の耐食性を向上させ、さらに、基体１０１と光反射層１０３の間に介在させることで、基体１０１と光反射層１０３との密着性を向上させるために設けられる。樹脂層１０２は、種々の材料で構成される塗装膜またはフィルムとすることができる。塗装膜の材料としては、基体１０１に対して密着性の良い有機樹脂材料であれば、その種類は特に限定されるものではないが、特に、ポリエステル樹脂、アルキッド樹脂、アクリル樹脂、エポキシ樹脂、２液硬化型ポリウレタン樹脂などの塗料が好適である。また、フィルムの材料としては、ポリエチレン、ポリカーボネート樹脂、ポリアミド樹脂、ポリイミド樹脂などが挙げられる。樹脂層１０２を塗装膜で形成する場合、材料を溶解した塗料を用いた塗布法により基体１０１上に作製することができる。また、樹脂層１０２をフィルムで形成する場合、フィルムを接着剤や、熱等により基体１０１に貼り付けることで基体１０１上に作製することができる。樹脂層１０２の厚みは、好ましくは３〜１００μｍであり、より好ましくは５〜６０μｍである。樹脂層１０２は、基材の材質に応じて形成することができる。
【００３１】
光反射層１０３は、採光装置１の採光部１１から取り込まれた光を導光させるために形成される層である。光反射層１０３は、採光装置１の採光部１１から取り込まれた光を効率的に正反射させることができるものであればよく、特に限定されないが、たとえば、銀又は銀合金により形成することができる。
【００３２】
銀又は銀合金からなる光反射層１０３は、銀鏡反応により銀を還元析出させる無電解めっき法、たとえば、スプレーめっき法により形成することができる。その他に、銀イオンを含む水溶液中で電気分解を行なう電気めっき法や、減圧雰囲気下にて銀を蒸発させて皮膜を形成する蒸着法などにより形成することができる。
【００３３】
光反射層１０３を銀又は銀合金により形成する場合には、光反射層１０３の厚みは、好ましくは０．０４〜０．３μｍであり、より好ましくは０．０６〜０．１５μｍである。光反射層１０３の厚みが薄すぎると、ピンホールが発生してしまい、正反射率が低下するおそれがある。一方、光反射層１０３の厚みが厚すぎると、所望の光沢面を得ることができず、正反射率が低下するおそれがある。また、経済的にも、光反射層１０３の厚みが厚すぎることは望ましくない。
【００３４】
光反射層１０３を銀合金からなるものとする場合においては、主として銀を含有する合金とすればよいが、銀合金中の銀の含有割合が、好ましくは８０重量％以上であり、より好ましくは９９重量％以上である。
【００３５】
また、光反射層１０３は、アルミニウム又はアルミニウム合金により形成してもよい。光反射層１０３をアルミニウム又はアルミニウム合金により形成する場合には、蒸着法、又はイオンプレーティング法などの乾式めっき法を用いることができる。特に、蒸着法により形成されたものが、高い正反射率を確保できるため好適である。
【００３６】
光反射層１０３をアルミニウム又はアルミニウム合金により形成する場合には、光反射層１０３の厚みは、好ましくは０．０４〜０．３μｍである。光反射層１０３の厚みが薄すぎると、ピンホールが発生してしまい、正反射率が低下するおそれがある。一方、光反射層１０３の厚みが厚すぎると、所望の光沢面を得ることができず、正反射率が低下するおそれがある。
【００３７】
また、光反射層１０３としては、屈折率の異なるフィルムを積層して光を反射するように設計した積層フィルムであってもよい。
【００３８】
なお、本実施形態に係る採光装置１を照明装置として用いる場合には、光反射層１０３としては、可視光帯域である波長３８０〜７８０ｎｍ程度の光の正反射率が高いものを用いることが好ましい。また、採光装置１を植物育成用の光照射装置として用いる場合には、光反射層１０３としては、光合成に有用な波長４００〜１０００ｎｍ程度の光の正反射率が高いものを用いることが好ましい。本実施形態では、光反射層１０３としては、目的とする波長帯域の光の全反射率に対する正反射率が６０％以上のものを用いることが好ましい。
【００３９】
保護層１０４は、光反射層１０３を保護するための層である。光反射層１０３は、大気に露出されると変色したり、汚れなどが生じたりする場合がある。また、光反射層１０３に付着した砂塵、埃を洗浄する場合、光反射層１０３に洗剤による変色跡が残ってしまう場合もある。そのため、保護層１０４はこれらを防止するために光反射層１０３上に設けられる層であり、保護層１０４を設けることにより、長期間にわたり、採光装置１の性能維持及び保守管理が可能となる。
【００４０】
保護層１０４は、有機樹脂材料、もしくは無機材料、またはこれらの混合物からなる膜を用いる。あるいは、有機樹脂材料の膜と、無機材料の膜との２層で構成してもよい。
【００４１】
有機樹脂材料としては、透明であり、かつ薄層化が可能な材料であればよいが、たとえば、ポリエステル樹脂、アクリル樹脂、シリコーン樹脂などを用いることができる。また、無機材料としては、耐汚染性に優れる酸化チタンなどを用いることができる。保護層１０４を、有機樹脂材料で形成する場合には、たとえば、有機樹脂材料を溶解した塗布液を用いた塗布法、または、有機樹脂材料をフィルム状にして貼り付ける方法などにより作製することができる。
【００４２】
また、本実施形態では、保護層１０４を増反射膜としてもよい。増反射膜は、チタン酸化物などの大きな屈折率の材料からなる層と、シリコン酸化物などの小さな屈折率の材料からなる層を２層に積層したものであり、それらの各層の光学的厚さ（物理的な膜厚×屈折率）をλ／４（λ：反射しようとする光の波長）として全体の光学的厚さをλ／２としたものである。保護層１０４を増反射膜とすることで、光反射面１０の正反射率をより一層向上させることができる。
【００４３】
保護層１０４の厚みは、好ましくは１〜２００μｍであり、より好ましくは３〜６０μｍである。保護層１０４の厚みが薄すぎると、光反射層１０３の保護効果が小さくなり、光反射層１０３に変色が発生したり、汚れが生じやすくなったりするおそれがある。一方、保護層１０４の厚みが厚すぎると、正反射率が低下するおそれがある。
【００４４】
本実施形態に係る採光装置１は、上述した光反射面１０をそのまま用いて、又は光反射面１０を貼付した材料を用いて、たとえば図１Ａに示すような形状に加工成形して形成される。光反射面１０を加工成形する方法としては、特に限定されないが、たとえば、ロールフォーミング加工や、プレス加工などが挙げられる。ロールフォーミング加工は、複数のローラーの間に鋼板を通すことにより、変形・加工する方法である。本実施形態では、光反射面１０の反射面への傷つきを防止することができるという点より、プレス加工が好ましい。
【００４５】
また、本実施形態では、ビルの吹き抜け等の壁で囲まれた空間において、壁に光反射面１０を設置することで光路を形成し、これを採光装置１としてもよい。
【００４６】
次いで、本実施形態に係る採光装置１を構成する有機ＥＬ照明２０又は無機ＥＬ照明２０について、図３Ａ〜図３Ｃを参照して説明する。有機ＥＬ照明２０又は無機ＥＬ照明２０としては、特に限定されず、公知の有機ＥＬ照明又は無機ＥＬ照明を用いればよいが、たとえば、透明基板２１上に透明電極２２と有機発光層２３又は無機発光層２３と金属電極又は透明電極２４（以下、金属電極等２４という）とを順に積層したものを用いることができる。ここで、有機発光層２３は、種々の有機薄膜を積層してなる光透過性の積層体であり、例えばトリフェニルアミン誘導体等からなる正孔注入層と、アントラセン等の発光物質からなる発光層との積層体や、あるいはこのような発光層とペリレン誘導体等からなる電子注入層の積層体や、またあるいはこれらの正孔注入層、発光層、及び電子注入層の積層体等、種々の組み合わせをもった公知の構成とすることができる。また、無機発光層２３は、硫化亜鉛に銅を添加したものや、スズ酸カルシウムにチタンを添加したものや、スズ酸カルシウムにテルビウムを添加したものなど、種々の組み合わせを持った公知の構成とすることができる。なお、有機ＥＬ照明２０又は無機ＥＬ照明２０は、金属電極等２４上に、金属電極等２４を保護するための封止層などをさらに備えていてもよい。
【００４７】
有機ＥＬ照明２０又は無機ＥＬ照明２０では、透明電極２２と金属電極等２４とに電圧を印加することによって、有機発光層２３又は無機発光層２３に正孔と電子とが注入され、これら正孔と電子との再結合によって生じるエネルギーが発光物資を励起し、励起された発光物質が基底状態に戻るときに光を放射する、という原理で有機発光層２３又は無機発光層２３が発光する。
【００４８】
本実施形態においては、このような有機ＥＬ照明２０又は無機ＥＬ照明２０を採光装置１に設置し、有機ＥＬ照明２０又は無機ＥＬ照明２０を必要に応じて発光させることで、採光装置１によって導光された光の強度や色味を適宜調整できる。
【００４９】
本実施形態の有機ＥＬ照明２０又は無機ＥＬ照明２０としては、光透過性の有機ＥＬ照明又は無機ＥＬ照明、及び片面発光型の有機ＥＬ照明又は無機ＥＬ照明のいずれも用いることができる。
【００５０】
ここで、光透過性の有機ＥＬ照明又は無機ＥＬ照明は、採光装置１によって導光しようとする波長帯域の光を透過する性質を有する有機ＥＬ照明又は無機ＥＬ照明である。光透過性の有機ＥＬ照明又は無機ＥＬ照明としては、たとえば、図３Ａに示す有機ＥＬ照明２０ａ又は無機ＥＬ照明２０ａのように、透明基板２１、透明電極２２、有機発光層２３、及び金属電極等２４を備え、これらがすべて光を透過する材料で形成されたものが挙げられる。これにより、有機ＥＬ照明２０ａ又は無機ＥＬ照明２０ａは、図３Ａ中の矢印で示すように、有機発光層２３又は無機発光層２３が発光した光を、透明基板２１側及び金属電極等２４側の両面から放射する。
【００５１】
本実施形態では、有機ＥＬ照明２０又は無機ＥＬ照明２０として光透過性の有機ＥＬ照明２０ａ又は無機ＥＬ照明２０ａを用いる場合において、採光装置１に取り込まれた光が有機ＥＬ照明２０ａ又は無機ＥＬ照明２０ａに入射した際には、当該光は、有機ＥＬ照明２０ａ又は無機ＥＬ照明２０ａを透過して、採光装置１の光反射面１０で反射されることとなる。なお、有機ＥＬ照明２０ａ又は無機ＥＬ照明２０ａは、通常、透明基板２１を採光装置１の内面側にして採光装置１に設置される。
【００５２】
このように、有機ＥＬ照明２０又は無機ＥＬ照明２０として光透過性の有機ＥＬ照明２０ａ又は無機ＥＬ照明２０ａを用いる場合には、有機ＥＬ照明２０ａ又は無機ＥＬ照明２０ａを透過して光反射面１０にて反射される波長３８０〜１０００ｎｍ帯域の光の正反射率（以下、「透過反射率）という）が、比較的高くなるように光反射面１０及び有機ＥＬ照明２０ａ又は無機ＥＬ照明２０ａを設計することが好ましい。
【００５３】
具体的には、光透過性の有機ＥＬ照明２０ａ又は無機ＥＬ照明２０ａを用いる場合には、採光装置１の上記透過反射率、すなわち、有機ＥＬ照明２０ａ又は無機ＥＬ照明２０ａを透過して光反射面１０にて反射される波長３８０〜１０００ｎｍ帯域の光の全反射率に対する正反射率は、好ましくは３０％以上、より好ましくは５０％以上である。採光装置１の透過反射率を上記範囲とすることにより、採光装置１に取り込まれた光が有機ＥＬ照明２０ａ又は無機ＥＬ照明２０ａに入射する場合において、光の強度の減衰を抑制できる。
【００５４】
採光装置１における透過反射率を上記範囲とする方法としては、たとえば、有機ＥＬ照明２０ａ又は無機ＥＬ照明２０ａの光透過率、及び光反射面１０における光の正反射率を高い値とする方法が挙げられる。具体的には、有機ＥＬ照明２０ａ又は無機ＥＬ照明２０ａの光透過率を、波長３８０〜１０００ｎｍ帯域で、好ましくは３０％以上、より好ましくは６０％以上とする。また、光反射面１０における波長３８０〜１０００ｎｍ帯域の光の全反射率に対する正反射率を、好ましくは８０％以上、より好ましくは９０％以上とする。
【００５５】
一方、片面発光型の有機ＥＬ照明又は無機ＥＬ照明は、採光装置１によって導光しようとする波長帯域の光を反射する性質を有する有機ＥＬ照明又は無機ＥＬ照明である。片面発光型の有機ＥＬ照明又は無機ＥＬ照明としては、たとえば、図３Ｂに示す有機ＥＬ照明２０ｂ又は無機ＥＬ照明２０ｂのように、透明基板２１、透明電極２２、有機発光層２３又は無機発光層２３、及び金属電極等２４に加えて、光を反射するための反射層２５をさらに備えるものが挙げられる。これにより、片面発光型の有機ＥＬ照明２０ｂ又は無機ＥＬ照明２０ｂでは、図３Ｂ中の矢印で示すように、有機発光層２３又は無機発光層２３から透明基板２１側に向かって発光した光が透明電極２２及び透明基板２１を透過して放射されるとともに、有機発光層２３又は無機発光層２３から金属電極等２４側に向かって発光した光が、反射層２５で反射した後、金属電極等２４、透明電極２２及び透明基板２１を透過して放射されることにより、透明基板２１側からのみ光を放射する。
【００５６】
あるいは、片面発光型の有機ＥＬ照明又は無機ＥＬ照明としては、図３Ｃに示すように、上述した反射層２５を設けることなく、金属電極等２４ａを光反射性の導電体で形成した有機ＥＬ照明２０ｃ又は無機ＥＬ照明２０ｃを用いてもよい。この有機ＥＬ照明２０ｃ又は無機ＥＬ照明２０ｃにおいては、有機発光層２３又は無機発光層２３から透明基板２１側に向かって発光した光が透明電極２２及び透明基板２１を透過して放射されるとともに、有機発光層２３又は無機発光層２３から金属電極等２４ａ側に向かって発光した光が、金属電極等２４ａで反射した後、透明電極２２及び透明基板２１を透過して放射されることにより、図３Ｃに示すように、透明基板２１側からのみ光が放射される。すなわち、図３Ｃに示す有機ＥＬ照明２０ｃ又は無機ＥＬ照明２０ｃでは、金属電極等２４ａが、上述した反射層２５として機能する。
【００５７】
本実施形態では、有機ＥＬ照明２０又は無機ＥＬ照明２０として片面発光型の有機ＥＬ照明又は無機ＥＬ照明（有機ＥＬ照明２０ｂ又は無機ＥＬ照明２０ｂや有機ＥＬ照明２０ｃ又は無機ＥＬ照明２０ｃ）を用いる場合には、有機ＥＬ照明２０又は無機ＥＬ照明２０は、透明基板２１を採光装置１の内面側にして採光装置１に設置される。この場合に、採光装置１に取り込まれた光が有機ＥＬ照明２０ｂ又は無機ＥＬ照明２０ｂに入射した際には、当該光は、有機ＥＬ照明２０ｂ又は無機ＥＬ照明２０ｂの透明基板２１、透明電極２２、有機発光層２３又は無機発光層２３、及び金属電極等２４を透過し、反射層２５で反射されることとなる。また、採光装置１に取り込まれた光が有機ＥＬ照明２０ｃ又は無機ＥＬ照明２０ｃに入射した際には、当該光は、有機ＥＬ照明２０ｂ又は無機ＥＬ照明２０ｂの透明基板２１、透明電極２２、及び有機発光層２３又は無機発光層２３を透過し、金属電極等２４ａで反射されることとなる。
【００５８】
本実施形態では、上述した片面発光型の有機ＥＬ照明又は無機ＥＬ照明による波長３８０〜１０００ｎｍ帯域の光の全反射率に対する正反射率、すなわち、片面発光型の有機ＥＬ照明又は無機ＥＬ照明の透明基板２１、透明電極２２及び有機発光層２３又は無機発光層２３等の透明な層を透過して、金属電極等２４ａや反射層２５にて反射する波長３８０〜１０００ｎｍ帯域の光の全反射率に対する正反射率（以下、「直接反射率）という）は、好ましくは６０％以上、より好ましくは８０％以上、さらに好ましくは９０％以上である。片面発光型の有機ＥＬ照明又は無機ＥＬ照明における直接反射率を上記範囲とすることにより、採光装置１に取り込まれた光が片面発光型の有機ＥＬ照明又は無機ＥＬ照明で反射する場合において、光の強度の減衰を抑制することができる。
【００５９】
なお、上述したように、採光装置１には複数の有機ＥＬ照明２０又は無機ＥＬ照明２０を設けてもよく、その際には、各有機ＥＬ照明２０又は無機ＥＬ照明２０について、それぞれ、上述した有機ＥＬ照明２０ａ又は無機ＥＬ照明２０ａ、有機ＥＬ照明２０ｂ又は無機ＥＬ照明２０ｂ、及び有機ＥＬ照明２０ｃ又は無機ＥＬ照明２０のいずれかを用いることができる。
【００６０】
本実施形態では、有機ＥＬ照明２０又は無機ＥＬ照明２０としては、次のような発光波長帯域を有するものを用いることが好ましい。まず、有機ＥＬ照明２０又は無機ＥＬ照明２０を、採光装置１に取り込まれた光の強度を補う用途で用いる場合には、有機ＥＬ照明２０又は無機ＥＬ照明２０として、可視光帯域である波長３８０〜７８０ｎｍ程度の光（いわゆる白色光）や、光合成に有用な波長４００〜１０００ｎｍ程度のブロードな発光波長帯域を有する有機ＥＬ照明又は無機ＥＬ照明を用いることが好ましい。
【００６１】
あるいは、有機ＥＬ照明２０又は無機ＥＬ照明２０を、採光装置１に取り込まれた光の色味を補正する用途で用いる場合には、有機ＥＬ照明２０又は無機ＥＬ照明２０として、採光装置１の光反射面１０による反射で減衰する波長帯域の光を発光可能な有機ＥＬ照明又は無機ＥＬ照明を用いる。
【００６２】
たとえば、光反射面１０として、銀又は銀合金からなる光反射層１０３を備える光反射面を用いた際には、光反射面１０では３５０〜５００ｎｍの波長帯域の光が吸収され易く、採光装置１から放射される光は黄色に変化する傾向にあるため、この場合には、４００〜５００ｎｍの発光波長帯域を有する有機ＥＬ照明２０又は無機ＥＬ照明２０を用いる。具体的には、全発光波長帯域における発光強度の積分値Ｉａｌｌに対する、４００〜５００ｎｍの発光波長帯域における発光強度の積分値Ｉ４００〜５００の比（Ｉ４００〜５００／Ｉａｌｌ）が、好ましくは１／３以上、より好ましくは２／３以上である有機ＥＬ照明２０又は無機ＥＬ照明２０を用いる。これにより、光反射面１０として、銀又は銀合金からなる光反射層１０３を備える光反射面を用いた場合に、採光装置１で導光された光の色味を適切に補正することができる。なお、積分値Ｉａｌｌとしては、可視光領域における発光強度の積分値としてもよく、たとえば３８０〜７８０ｎｍの発光波長帯域における発光強度の積分値とすることができる。
【００６３】
また、光反射面１０として、アルミニウム又はアルミニウム合金からなる光反射層１０３を備える光反射面を用いた際には、光反射面１０では、６００〜７００ｎｍの波長帯域の光が吸収され易く、採光装置１から放射される光は青色に変化する傾向にあるため、この場合には、６００〜７００ｎｍの発光波長帯域を有する有機ＥＬ照明２０又は無機ＥＬ照明２０を用いる。具体的には、全発光波長帯域における発光強度の積分値Ｉａｌｌに対する、６００〜７００ｎｍの発光波長帯域における発光強度の積分値Ｉ６００〜７００の比（Ｉ６００〜７００／Ｉａｌｌ）が、好ましくは１／３以上、より好ましくは２／３以上である有機ＥＬ照明２０又は無機ＥＬ照明２０を用いる。これにより、光反射面１０として、アルミニウム又はアルミニウム合金からなる光反射層１０３を備える光反射面を用いた場合に、採光装置１で導光された光の色味を適切に補正することができる。
【００６４】
なお、従来においては、採光装置から放射される光の強度や色味を調整するための光源としてＬＥＤが用いられていたが、ＬＥＤは点光源であるため、調整された光には強度や色味にムラが発生しやすいという問題がある。さらに、ＬＥＤは、単波長の光源であるため、採光装置を照明装置として用いる場合に、光の色味をなめらかに調整することは困難であるという問題もある。また、ＬＥＤは、採光装置内に設置すると採光装置による導光を妨げてしまうため、導光を妨げないようにするために設置位置が制限されてしまうという問題もある。
【００６５】
これに対し、本実施形態に係る採光装置１では、採光装置１から放射される光の強度や色味を調整するための光源として、上述した有機ＥＬ照明２０又は無機ＥＬ照明２０を用いるため、このような問題を有効に解決することができる。すなわち、有機ＥＬ照明２０又は無機ＥＬ照明２０は、面光源であり、さらに発光波長帯域がブロードであるため、採光装置１から放射される光の強度や色味を、ムラなくなめらかに調整できる。加えて、有機ＥＬ照明２０又は無機ＥＬ照明２０は、上述した有機ＥＬ照明又は無機ＥＬ照明２０ａ〜２０ｃのように、光透過性や光反射性を有しているため、これにより、採光装置１内に設置した場合にも、採光装置１に取り込まれた光の導光を妨げることがないため、設置位置の自由度が高く、機能性やデザイン性に優れた採光装置１を設計することができる。
【００６６】
なお、有機ＥＬ照明２０又は無機ＥＬ照明２０の発光波長帯域は、たとえば、有機発光層２３又は無機発光層２３を構成する発光物質として、青色、緑色、赤色などに発光する材料を単独または混合して用いることで、所望の帯域に調整することができる。あるいは、青色、緑色、赤色などに発光する素子を並べて配置することで有機発光層２３又は無機発光層２３を形成し、各素子の発光を別々に制御することで、有機ＥＬ照明２０又は無機ＥＬ照明２０の発光波長帯域を調整することもできる。
【００６７】
また、特定の波長を透過させないようにするカラーフィルターを有機発光層２３又は無機発光層２３上に設けたり、カラーフィルターを透明基板２１上に設けたり、透明基板２１自体をカラーフィルターとすることで、有機ＥＬ照明２０又は無機ＥＬ照明２０の発光波長帯域を調整してもよい。有機発光層２３又は無機発光層２３上にカラーフィルターを設ける場合には、カラーフィルター内に光を拡散させる拡散粒子を添加したり、カラーフィルター表面に賦形による微細加工を施したりしてもよい。
【００６８】
本実施形態では、このような有機ＥＬ照明２０又は無機ＥＬ照明２０の設置位置は、特に限定されないが、採光装置１の放光部１３とすることが好ましい。すなわち、有機ＥＬ照明２０又は無機ＥＬ照明２０が、採光装置１の採光部１１や導光部１２に設置された場合には、有機ＥＬ照明２０又は無機ＥＬ照明２０の発光により放射される光が、採光装置１内で導光されて放光部１３に到達する際には、光の強度が減衰したり、色味が変化したりする場合がある。これに対し、有機ＥＬ照明２０又は無機ＥＬ照明２０を、放光部１３に設置することにより、すなわち放光口１３１付近に設置することにより、有機ＥＬ照明２０又は無機ＥＬ照明２０の発光による光が、直接、放光口１３１から放射されることとなり、有機ＥＬ照明２０又は無機ＥＬ照明２０からの光を効率的に利用することができる。
【００６９】
また、有機ＥＬ照明２０又は無機ＥＬ照明２０の設置位置は、採光装置１内において、取り込まれる光が有機ＥＬ照明２０又は無機ＥＬ照明２０に入射し難い位置とすることが好ましい。たとえば、図１Ａ，図１Ｂにおいて、ｙ軸の正方向が北、ｙ軸の負方向が南、ｘ軸の正方向が西、ｘ軸の負方向が東である場合を例に説明する。図１Ａ示す採光装置１において、採光口１１１が南の方角（ｙ軸の負方向）を向いており、採光装置１が南から多くの太陽光が取り込まれる地域に設置されている場合には、採光装置１内では、取り込まれる光は、図１Ｂに示すように、南（ｙ軸の負方向）に向いた光反射面１０や、北（ｙ軸の正方向）に向いた光反射面１０にて反射することが多くなる。そのため、この場合には、有機ＥＬ照明２０又は無機ＥＬ照明２０を、西（ｘ軸の正方向）に向いた光反射面１０上、又は東（ｘ軸の負方向）に向いた光反射面１０上、すなわち、取り込まれる光が入射し難い位置に設置することが好ましい。
【００７０】
具体的には、本実施形態では、有機ＥＬ照明２０又は無機ＥＬ照明２０の設置方向としては、有機ＥＬ照明２０又は無機ＥＬ照明２０の表面が向く方位角を、採光口１１１が向く方位角に対して、好ましくは３０〜１５０°、より好ましくは６０〜１２０°とする。有機ＥＬ照明２０又は無機ＥＬ照明２０の表面が向く方位角を上記範囲とすることにより、有機ＥＬ照明２０又は無機ＥＬ照明２０に入射する光量が少なくなり、その結果、採光装置１により導光される光の強度の減衰や、色味の変化を抑制できる。
【００７１】
すなわち、本実施形態に係る採光装置１では、通常、光反射面１０で直接反射する光と、有機ＥＬ照明２０又は無機ＥＬ照明２０に入射して反射する光とでは、光反射面１０で直接反射する光の方が正反射率が高い傾向にある。そのため、採光装置１では、上述したように、有機ＥＬ照明２０又は無機ＥＬ照明２０を、取り込まれる光が入射し難い位置に設置することにより、有機ＥＬ照明２０又は無機ＥＬ照明２０に入射する光がより少なくなり、取り込まれる光の強度の減少や色味の変化を抑制できる。
【００７２】
なお、上述した図１Ａに示す採光装置１では、放光口１３１を採光装置１の底部（ｚ軸の負方向）に設けた例を示したが、本実施形態では、採光装置１の底部の放光口１３１に加えて、又は採光装置１の底部の放光口１３１に代えて、図４Ａに示すように、採光装置１ａの側方（ｙ軸の負方向）に放光口１３１を設けてもよい。このような採光装置１ａにおいては、図４Ａに示すように、有機ＥＬ照明２０又は無機ＥＬ照明２０を、放光口１３１に対向する面に設けることで、採光装置１ａにより導光されて放光口１３１から放射される光の強度や色味を効率的に調整できる。
【００７３】
また、本実施形態では、放光口１３１に対向する面に有機ＥＬ照明２０又は無機ＥＬ照明２０を設ける際には、図４Ｂに示す採光装置１ｂのように、放光口１３１より面積が小さい有機ＥＬ照明２０又は無機ＥＬ照明２０を設けることで、低コスト化を図ってもよい。この際には、図４Ｂに示すように、有機ＥＬ照明２０又は無機ＥＬ照明２０を複数設置し、複数の有機ＥＬ照明２０又は無機ＥＬ照明２０のＯＮ／ＯＦＦをそれぞれ制御することにより、放光口１３１から放射される光の強度を適切に調整できる。たとえば、図４Ｂに示す採光装置１ｂのように２つの有機ＥＬ照明２０又は無機ＥＬ照明２０が設置されている例を用いて説明すると、日中で採光装置１ｂに取り込まれる太陽光の光量が多い場合には、全ての有機ＥＬ照明２０又は無機ＥＬ照明２０をＯＦＦにしておき、早朝や夕方の時間帯又は曇天や雨天などの天気により取り込まれる太陽光の光量が少ない場合には有機ＥＬ照明２０又は無機ＥＬ照明２０を１つだけＯＮとし、夜間で太陽光が取り込まれない場合には有機ＥＬ照明２０又は無機ＥＬ照明２０を２つともＯＮにする。
【００７４】
また、図４Ｂに示す採光装置１ｂのように複数の有機ＥＬ照明２０又は無機ＥＬ照明２０を設置する場合には、複数の有機ＥＬ照明２０又は無機ＥＬ照明２０について、それぞれ発光波長帯域を異なるものとしておき、複数の有機ＥＬ照明２０又は無機ＥＬ照明２０のＯＮ／ＯＦＦをそれぞれ切り替えることで、放光口１３１から放射される光の色味を適宜変更できるようにしてもよい。
【００７５】
さらに、本実施形態では、放光口１３１は、図４Ｃに示す採光装置１ｃのように、小さい円形の放光口１３１を多数設けてもよい。これにより、それぞれの放光口１３１から光が拡散されることとなり、各放光口１３１から放射される光をやわらかいものとすることができる。
【００７６】
なお、上述した図４Ａ〜図４Ｃに示すように、放光口１３１を採光装置１の側方に設けた場合には、太陽光は次のようにして導光される。ここで、図４Ｄは、図４Ａに示す採光装置１ａをｘ軸正方向に見た場合における側面図と、ｙ軸正方向に見た場合における正面図とを示す。なお、図４Ｄ中の一点鎖線は、太陽ＳＮの太陽光が、採光部１１から取り込まれた際の経路の一例を示す。
【００７７】
図４Ｄ中の一点鎖線で示すように、採光装置１ａの採光部１１に設けられた採光口１１１から取り込まれた太陽光は、採光装置１内で反射しながら導光部１２を通って、採光装置１ａの側方に設けられた放光口１３１にて放射されるとともに、採光装置１ａの底部に設けられた放光口１３１でも放射される。この際において、採光装置１ａでは、有機ＥＬ照明２０又は無機ＥＬ照明２０を発光させることで、それぞれの放光口１３１から放射される太陽光の強度及び色味を調整可能となっている。
【００７８】
また、本実施形態では、採光装置１の形状は、図１Ａに示すような縦型の形状（導光部１２が垂直方向に延在した形状）に限定されず、図５Ａ，図５Ｂに示す採光装置１ｄ，１ｅのように、横型の形状（導光部１２が水平方向に延在した形状）としてもよい。なお、図５Ａ，図５Ｂは、横型の採光装置１ｄ，１ｅをｘ軸正方向に見た場合における側面図である。図５Ａ，図５Ｂに示す採光装置１ｄ，１ｅでは、導光部１２を含む採光部１１から放光部１３までの部分は、光が外部に漏れないように、四角柱等の形状の筒となっている。また、採光部１１及び放光部１３では、採光口１１１及び放光口１３１で光が通過できるようになっている。なお、図５Ａ，図５Ｂ中の一点鎖線は、採光部１１から取り込まれた太陽光の経路の一例を示す。
【００７９】
図５Ａに示す採光装置１ｄでは、採光部１１から取り込まれた光が、導光部１２にて反射しながら導光され、放光部１３にて斜めに設置された有機ＥＬ照明２０又は無機ＥＬ照明２０の位置で反射し、放光部１３の放光口１３１から放射される。ここで、採光装置１ｄでは、放光部１３にて斜めに設置された有機ＥＬ照明２０又は無機ＥＬ照明２０と、放光口１３１付近に設置されたｙ軸方向に向く一対の有機ＥＬ照明２０又は無機ＥＬ照明２０とにより、導光された光の強度や色味を調整している。
【００８０】
また、有機ＥＬ照明２０又は無機ＥＬ照明２０は、図５Ｂに示す採光装置１ｅのように、曲面に設置されていてもよい。すなわち、有機ＥＬ照明２０又は無機ＥＬ照明２０を構成する透明基板２１等をフレキシブルな材料で形成することで、有機ＥＬ照明２０又は無機ＥＬ照明２０を曲げ可能なものとし、この有機ＥＬ照明２０又は無機ＥＬ照明２０を、採光装置１ｅ内の曲面部分に設置してもよい。本実施形態では、採光装置１から放射される光の強度や色味を調整するための光源として、曲面にも設置可能な有機ＥＬ照明２０又は無機ＥＬ照明２０を用いるため、設置位置の自由度が高く、機能性やデザイン性に優れた採光装置１を設計することができる。
【００８１】
なお、図５Ｂに示す採光装置１ｅの一例では、採光部１１から取り込まれた光が、導光部１２にて反射しながら導光され、放光部１３の曲面に設置された有機ＥＬ照明２０又は無機ＥＬ照明２０の位置で反射した後、放光口１３１付近に設置されたｙ軸正方向に向く有機ＥＬ照明２０又は無機ＥＬ照明２０で反射し、その後、放光部１３の放光口１３１から放射される。
【００８２】
また、本実施形態では、採光装置１の形状は、図５Ｃに示す採光装置１ｆのように、全体として略Ｌ字型の形状（導光部１２が、垂直方向に延在した垂直部１２１と、水平方向に延在した水平部１２２とからなる形状）としてもよい。なお、図５Ｃに示す採光装置１ｆでは、導光部１２を含む採光部１１から放光部１３までの部分は、光が外部に漏れないように、四角柱等の形状の筒となっている。また、採光部１１及び放光部１３では、採光口１１１及び放光口１３１で光が通過できるようになっている。これにより、採光装置１を建物に設置するような場合に、採光装置１の形状を、建物の構造に応じて、太陽光を目的箇所まで適切に導光できる形状とすることができる。
【００８３】
本実施形態の採光装置１は以上のようにして構成される。
【００８４】
本実施形態に係る採光装置１は、たとえば、図６に示すようにして、建物に組込むことができる。図６は、採光装置１ｇ，１ｈ，１ｉを組込んだ建物の断面図である。図６では、Ｌ字型の採光装置１ｇと、縦型の採光装置１ｈと、横型の採光装置１ｉとがそれぞれ建物内に設置されている。
【００８５】
図６において、Ｌ字型の採光装置１ｇでは、採光口１１１ａから取り込まれた太陽光は、導光部１２ａで導光され、有機ＥＬ照明２０又は無機ＥＬ照明２０により強度及び色味が調整されて、放光口１３１ａから、部屋である目的箇所ＳＰ１に放射される。また、縦型の採光装置１ｈでは、採光口１１１ｂから取り込まれた太陽光は、導光部１２ｂで導光され、有機ＥＬ照明２０又は無機ＥＬ照明２０により強度及び色味が調整されて、放光口１３１ｂ，１３１ｃから、廊下である目的箇所ＳＰ２，３にそれぞれ放射されるとともに、放光口１３１ｄから、部屋である目的箇所ＳＰ４に放射される。さらに、横型の採光装置１ｉでは、採光口１１１ｃから取り込まれた太陽光は、導光部１２ｃで導光され、有機ＥＬ照明２０又は無機ＥＬ照明２０により強度及び色味が調整されて、放光口１３１ｅ，１３１ｆから、部屋である目的箇所ＳＰ４に放射される。
【００８６】
なお、以上説明した実施形態は、本発明の理解を容易にするために記載されたものであって、本発明を限定するために記載されたものではない。したがって、上記の実施形態に開示された各要素は、本発明の技術的範囲に属する全ての設計変更や均等物をも含む趣旨である。
【００８７】
たとえば、上述した実施形態では、採光装置１は直方体形状、すなわち、ｘｙ平面で切断したときの断面が四角形である例を示したが、採光装置１の形状はこのような形状に限定されず、たとえば、円筒形状、横断面が多角形の筒形状であってもよい。
【実施例】
【００８８】
以下に、実施例を挙げて、本発明についてより具体的に説明するが、本発明は、これら実施例に限定されない。
【００８９】
《実施例１》
図２に示す構成において、基体１０１として亜鉛めっき鋼板を用い、光反射層１０３として銀めっき膜を用いた光反射面１０を有する反射板（東洋鋼鈑社製、ミラーコートＫ）を準備した。
【００９０】
そして、準備した反射板を、図７に示すように、採光部１１、導光部１２及び放光部１３を有する四角柱状の筒に加工することで、採光装置１ｊを作製した。なお、作製した採光装置１ｊは、図７に示すように、ｘ軸方向の長さが２０００ｍｍ、ｙ軸方向の幅が１００ｍｍ、ｚ軸方向の高さが１００ｍｍとなっている。また、採光装置１ｊの採光部１１及び放光部１３には、それぞれ、波長５５０ｎｍの光の透過率が４６％である厚さ１ｍｍの乳白色のポリエチレン板を光拡散板３０として設けた。
【００９１】
次いで、図８に示すように、採光装置１ｊの上面及び下面（ｘｙ平面に平行な面）を、放光部１３の先端から幅１００ｍｍにわたって切り抜き、切り抜いた部分に２枚の有機ＥＬ照明２０（ＭＣパイオニアＯＬＥＤライティング社製、ＯＬＥ−Ｄ１４１４−Ｇ  白色モード  白ｃｏｏｌ）をそれぞれ設置した。なお、採光装置１ｊに設置した有機ＥＬ照明２０は、各波長における発光強度が図９に示すグラフのようになっている。図９は、上記有機ＥＬ照明２０による発光の強度を、発光波長ごとに検出した結果を示すグラフである。
【００９２】
なお、図９に示すグラフでは、波長３８０〜７８０ｎｍの範囲の発光強度の積分値Ｉａｌｌに対する、波長４００〜５００ｎｍの範囲の発光強度の積分値Ｉ４００〜５００の比（Ｉ４００〜５００／Ｉａｌｌ）が、０．３５となっている。
【００９３】
その後、図８に示すように、採光装置１ｊの採光部１１付近に人工太陽光２（セリック社製、ＸＣ‐１００）を設置した。なお、人工太陽光２の設置位置は、ｙ軸との角度が３０°で、採光装置１ｊの内面のうちｘｚ平面と平行な面に向かって人工太陽光が入射するような位置とした。さらに、採光装置１ｊの放光部１３と対向するように、放光部１３から照射される光の強度を検出するための検出器３（ＵＰＲｔｅｋ社製、ＭＫ３０５Ｓ）を設置した。なお、検出器３は、図１０に示すように、採光装置１ｊの放光部１３から照射された光を、放光部１３の（１）〜（９）で示す位置でそれぞれ検出できるようにした。ここで、図１０は、図８に示す採光装置１ｊの放光部１３を、ｘ軸の負方向に向かって見た様子を示す図である。
【００９４】
そして、人工太陽光２から採光装置１ｊ内に光を照射するとともに、採光装置１ｊに設置した２枚の有機ＥＬ照明２０をそれぞれ点灯し、その際に採光装置１ｊの放光部１３から照射される光について、検出器３により、図１０に示す（１）〜（９）の各位置における色温度を測定することで、放光部１３の各位置から照射される光の色ムラを観察した。なお、検出器３による光の検出は、図１０に示す（１）〜（９）の各位置に、黒色のウレタン製の筒（φ６ｍｍ、長さ１０ｍｍ）を取り付けて行うことで、測定を行う位置以外から照射される光の影響がないようにした。結果を表１に示す。
【００９５】
《比較例１》
まず、実施例１と同様に、図７に示す採光装置１ｊを準備した。次いで、図１１に示すように、採光装置１ｊの上面及び下面（ｘｙ平面に平行な面）を、放光部１３の先端から幅２０ｍｍにわたって切り抜き、切り抜いた部分に、光拡散板５（波長５５０ｎｍの光の透過率が４６％である厚さ１ｍｍの乳白色のポリエチレン板）を介して、２枚のＬＥＤ照明（プリンス電機社製、ＰＦ９００ＮＤ）をそれぞれ設置した。なお、採光装置１ｊに設置したＬＥＤ照明は、各波長における発光強度が図１２に示すグラフのようになっている。図１２は、上記ＬＥＤ照明による発光の強度を、発光波長ごとに検出した結果を示すグラフである。
【００９６】
なお、図１２に示すグラフでは、波長３８０〜７８０ｎｍの範囲の発光強度の積分値Ｉａｌｌに対する、波長４００〜５００ｎｍの範囲の発光強度の積分値Ｉ４００〜５００の比（Ｉ４００〜５００／Ｉａｌｌ）が、０．３５となっている。
【００９７】
そして、図１１に示す採光装置１ｊを用いた以外は、実施例１と同様に、人工太陽光２から採光装置１ｊ内に光を照射して、採光装置１ｊの放光部１３から照射される光を、検出器３により検出した。結果を表１に示す。
【００９８】
《参考例１》
有機ＥＬ照明２０を設置することなく、図７に示す採光装置１ｊをそのまま用いた以外は、実施例１と同様に、人工太陽光２から採光装置１ｊ内に光を照射して、採光装置１ｊの放光部１３から照射される光を、検出器３により検出した。結果を表１に示す。
【００９９】
【表１】
2016092002.tif 000003
【０１００】
表１に示すように、採光装置１ｊに有機ＥＬ照明を設置した実施例１では、放光部１３の（１）〜（９）の各位置において、色温度の最大値（（８）の４７４７Ｋ）と最小値（（４）の４５３６Ｋ）との差がわずか２１１Ｋであり、採光装置１ｊにより導光された光は、色味のムラが小さいことが確認された。すなわち、照明を設置せずに人工太陽光をそのまま導光した参考例１においては、色温度の最大値（（５）の３８５４Ｋ）と最小値（（３）の３７９５Ｋ）との差が５９Ｋであったものと比較して、上述した実施例１では、色温度の最大値と最小値との差が、この参考例１の値に近いものであり、このことから、実施例１では色味のムラが小さいことが確認された。
【０１０１】
一方、表１に示すように、採光装置１ｊにＬＥＤ照明を設置した比較例１では、放光部１３の（１）〜（９）の各位置において、色温度の最大値（（１）及び（２）の５５４９Ｋ）と最小値（（５）の４７７３Ｋ）との差が７７６Ｋもあり、採光装置１ｊにより導光された光は、色味のムラが大きいことが確認された。特に、比較例１では、放光部１３の（４）〜（６）の位置と比較して、放光部１３の（１）〜（３）及び（７）〜（９）の位置で色温度が高くなっている。このことから、比較例１では、ＬＥＤ照明による影響が、放光部１３の（４）〜（６）の位置では弱い一方で、放光部１３の（１）〜（３）及び（７）〜（９）の位置では強くなっていることが分かり、ＬＥＤ照明によって、放光部１３から照射される光の色味のムラが大きくなっていることが確認された。
【符号の説明】
【０１０２】
１，１ａ〜１ｊ…採光装置
１０…光反射面
１０１…基体
１０２…樹脂層
１０３…光反射層
１０４…保護層
１１…採光部
１１１，１１１ａ〜１１１ｃ…採光口
１２，１２ａ〜１２ｃ…導光部
１３…放光部
１３１，１３１ａ〜１３１ｆ…放光口
２０，２０ａ，２０ｂ…有機ＥＬ照明又は無機ＥＬ照明
２１…透明基板
２２…透明電極
２３…有機発光層又は無機発光層
２４，２４ａ…金属電極等
２５…反射層
３０…光拡散板
２…人工太陽灯
３…検出器
４…ＬＥＤ照明
５…光拡散板
【図１Ａ】
2016092002.tif 000004
【図１Ｂ】
2016092002.tif 000005
【図１Ｃ】
2016092002.tif 000006
【図２】
2016092002.tif 000007
【図３Ａ】
2016092002.tif 000008
【図３Ｂ】
2016092002.tif 000009
【図３Ｃ】
2016092002.tif 000010
【図４Ａ】
2016092002.tif 000011
【図４Ｂ】
2016092002.tif 000012
【図４Ｃ】
2016092002.tif 000013
【図４Ｄ】
2016092002.tif 000014
【図５Ａ】
2016092002.tif 000015
【図５Ｂ】
2016092002.tif 000016
【図５Ｃ】
2016092002.tif 000017
【図７】
2016092002.tif 000018
【図８】
2016092002.tif 000019
【図９】
2016092002.tif 000020
【図１０】
2016092002.tif 000021
【図１１】
2016092002.tif 000022
【図１２】
2016092002.tif 000023
【図６】
2016092002.tif 000024